(57)【要約】【課題】車両用の燃料計などの計器装置において、立体感のみならず高級感をも得る。【解決手段】透光性の表示板１５の表面に意匠部１７が、貼付、印刷、彫刻、成形などによって設けられている。表示板１５の裏面に凹部１６が設けられ、表示板１５の外周に沿って外側に向かって表示板１５が薄くなるように徐々に傾斜している。表示板１５の周囲にはＬ字断面リング状の導光部材２２が載置されている。導光部材２２の下方には複数個の光源１４が、円周上に等角度間隔で配設されている。意匠部１７を照明する際には、光源１４から光を出射させる。すると、表示板１５は板面全体が発光し、意匠部１７は中空状態で視認されるため、立体感が得られる。また、表示板１５の中央部から周辺部に向かって厚さが減少して輝度が変化するため、波紋のような見栄えによって高級感が得られる。【選択図】図１
2008157756.tif 000002
【特許請求の範囲】
【請求項１】
透光性の表示板と、この表示板の表面に設けられた意匠部と、前記表示板に投光する光源とを備え、
前記光源から出射した光を前記表示板に導く導光部材が設けられ、
前記表示板の裏面には、当該表示板の中央部から周辺部に向かって厚さが増減する凹部を備えていることを特徴とする計器装置。
【請求項２】
前記表示板は、円板状であり、
前記導光部材は、前記表示板の周囲に設けられていることを特徴とする請求項１に記載の計器装置。
【請求項３】
請求項１または２に記載の計器装置における表示方法であって、
通常時と警告時とにおいて、前記計器装置の発光色を変更することを特徴とする表示方法。
【発明の詳細な説明】
【技術分野】
【０００１】
本発明は、例えば車両用の燃料計、速度計、エンジン回転計、水温計、アナログ時計などに用いるに好適な計器装置と、その計器装置を用いた表示方法とに関するものである。
【背景技術】
【０００２】
図４は従来の車両用の燃料計を例示する断面斜視図、図５は図４に示す燃料計の断面図である。
【０００３】
従来、車両用の燃料計１においては、図４および図５に示すように、第１光源２から出射した光を照明室５で反射させることにより、文字板７および意匠部８を照明するとともに、第２光源３から出射した光を導光させることにより、指針９を照明していた。ところが、この燃料計１では、文字板７および意匠部８の表示が平面的となるため、立体感に乏しいという欠点があった。
【０００４】
そこで、平面状の透明板の後方に平面状の地色板を平行に積層配置した表示板を採用することにより、立体感を表現する手法が提案されていた（例えば、特許文献１参照）。
【特許文献１】特開平１０−１４９１２２号公報
【発明の開示】
【発明が解決しようとする課題】
【０００５】
しかし、これでは、透明板および地色板が平面の組み合わせに過ぎないため、高級感に欠けるという課題があった。
【０００６】
こうした事情は、燃料計１以外の計器装置（例えば、速度計、エンジン回転計、水温計、アナログ時計など）についても同様である。
【０００７】
本発明は、このような課題を解決することが可能な計器装置を提供することを第１の目的とし、この計器装置を用いて省スペース化を図ることが可能な表示方法を提供することを第２の目的とする。
【課題を解決するための手段】
【０００８】
まず、請求項１に係る計器装置の発明では、透光性の表示板と、この表示板の表面に設けられた意匠部と、前記表示板に投光する光源とを備え、前記光源から出射した光を前記表示板に導く導光部材が設けられ、前記表示板の裏面には、当該表示板の中央部から周辺部に向かって厚さが増減する凹部を備えていることを特徴とする。
また、請求項２に係る計器装置の発明では、前記表示板は、円板状であり、前記導光部材は、前記表示板の周囲に設けられていることを特徴とする。
また、請求項３に係る表示方法の発明では、上記計器装置における表示方法であって、通常時と警告時とにおいて、前記計器装置の発光色を変更することを特徴とする。
【発明の効果】
【０００９】
本発明によれば、立体感のみならず高級感をも得ることが可能な計器装置を提供することができる。
【００１０】
また、本発明によれば、省スペース化を図ることが可能な表示方法を提供することができる。
【発明を実施するための最良の形態】
【００１１】
以下、本発明の実施形態を図面に基づいて説明する。
【００１２】
＜第１の実施形態＞
図１は本発明に係る計器装置である車両用の燃料計の第１の実施形態を示す断面斜視図、図２は図１に示す燃料計の断面図である。
【００１３】
車両用の燃料計１は、図１および図２に示すように、平板状の基板１０を有しており、基板１０の下側には内機１１が、その回転軸１１ａを基板１０の上方に突出させた形で設置されている。また、基板１０の上側にはケース１２が設置されており、ケース１２の上側には、円板状に形成された透光性の表示板１５が載置されている。さらに、表示板１５の周囲にはＬ字断面リング状の導光部材２２が載置されており、導光部材２２の下方には複数個の光源１４が、円周上に等角度間隔で配設されている。
【００１４】
また、表示板１５の表面には意匠部１７が、貼付、印刷、彫刻、成形などによって設けられており、この意匠部１７は、燃料が満タン（満杯）であることを示す「Ｆ」の目盛と、燃料が空であることを示す「Ｅ」の目盛と、これらの目盛間を４等分する３つの目盛とを半円弧状に結ぶ形状を有している。さらに、表示板１５の中央には指針１９が、内機１１の回転軸１１ａに差し込まれた形で回動自在に取り付けられており、指針１９は、燃料の残量を指示する針状の指示部１９ａと、この指示部１９ａを内機１１の回転軸１１ａに連結する円筒状の回動軸部１９ｂとを備えている。
【００１５】
また、表示板１５の周囲には見返し２１が、ケース１２の上側に位置して設けられている。そして、表示板１５の裏面には、表示板１５の外周に沿って外側に向かって表示板１５が薄くなるように徐々に傾斜した円錐状の凹部１６が形成されている。
【００１６】
車両用の燃料計１は以上のような構成を有するので、夜間走行時などにおいて意匠部１７を照明する際には、光源１４から光を出射させる。すると、この光は、図２に一点鎖線で示すように、導光部材２２に上向きに入射した後、導光部材２２内で直角に屈曲し、導光部材２２から表示板１５の中心に向かって水平方向に出射した後、表示板１５に到達する。その結果、表示板１５は板面全体が発光し、意匠部１７はケース１２に対して浮かび上がって中空状態で視認される。そのため、立体感を得ることができる。
【００１７】
また、表示板１５の裏面には円錐状の凹部１６が形成されており、表示板１５の中央部から周辺部に向かって厚さが減少して輝度が変化することから、波紋のような見栄えによって高級感を得ることが可能となる。
【００１８】
そして、燃料が十分あるときなどの通常時と、燃料が残り少なくなったときなどの警告時とにおいて、燃料計１の発光色を変更することにより、専用の警告灯を省き、省スペース化を図ることもできる。
【００１９】
すなわち、例えば、寒色（青色、無彩色など）および暖色（赤色、橙色、黄色など）の光を出射する２種類の光源１４を配置しておき、通常時には寒色で燃料計１を発光させ、警告時には暖色で燃料計１を発光させるようにしても構わない。このように燃料計１の発光色を寒色から暖色に変更すれば、変色が目立ちやすくなり、警告効果を高めることができる。逆に、通常時に暖色で燃料計１を発光させ、警告時に寒色で燃料計１を発光させることも可能である。これらの場合、燃料計１が警告灯としての機能をも果たすため、メーターレイアウトにて専用の警告灯を省くことができ、省スペース化を図ることが可能となる。
【００２０】
＜第２の実施形態＞
図３は本発明に係る計器装置である車両用の燃料計の第２の実施形態を示す断面図である。
【００２１】
上述した第１の実施形態においては、表示板１５の裏面に、表示板１５の外周に沿って外側に向かって表示板１５が薄くなるように傾斜した円錐状の凹部１６が形成されている場合について説明したが、この凹部１６の傾斜の向きを逆転させてもよい。つまり、図３に示すように、表示板１５の周辺から中心に向かって表示板１５が薄くなるように徐々に傾斜した逆円錐状の凹部１６を表示板１５の裏面に形成しても構わない。この場合、表示板１５の裏面には逆円錐状の凹部１６が形成されており、表示板１５の中央部から周辺部に向かって厚さが増加して輝度が変化することから、波紋のような見栄えによって高級感を得ることが可能となる。
【００２２】
さらに、この凹部１６に、図３に示すように、シボ加工によってシボ（皺）１８を施すことも可能である。この場合、シボ（皺）１８により、表示板１５そのものが立体感を増すことになる。
【００２３】
＜その他の実施形態＞
上述の各実施形態においては、表示板１５の厚さが単調に減少または増加する場合について説明したが、表示板１５の厚さが増減を繰り返すようにしても構わない。
【００２４】
上述の各実施形態においては、燃料計１について説明したが、燃料計１以外の計器装置（例えば、速度計、エンジン回転計、水温計、アナログ時計など）に本発明を適用することもできる。このとき、複数種類の計器装置に対して、計器装置の種類に応じて発光色を変更することにより、各計器装置を色で容易に識別できるようにしてもよい。
【産業上の利用可能性】
【００２５】
本発明は、自動車、航空機、電車、製造プラント、電化製品、ＯＡ機器など各種の産業分野に広く適用することができる。
【図面の簡単な説明】
【００２６】
【図１】本発明に係る計器装置である車両用の燃料計の第１の実施形態を示す断面斜視図である。
【図２】図１に示す燃料計の断面図である。
【図３】本発明に係る計器装置である車両用の燃料計の第２の実施形態を示す断面図である。
【図４】従来の車両用の燃料計を例示する断面斜視図である。
【図５】図４に示す燃料計の断面図である。
【符号の説明】
【００２７】
１……燃料計（計器装置）
１０……基板
１１……内機
１１ａ……回転軸
１２……ケース
１４……光源
１５……表示板
１６……凹部
１７……意匠部
１８……シボ（皺）
１９……指針
１９ａ……指示部
１９ｂ……回動軸部
２１……見返し
２２……導光部材
【図１】
2008157756.tif 000003
【図２】
2008157756.tif 000004
【図３】
2008157756.tif 000005
【図４】
2008157756.tif 000006
【図５】
2008157756.tif 000007